(57)【特許請求の範囲】
【請求項１】
シロッコファンと、このシロッコファンを囲むケーシングと、該ケーシングの出口に接続され前記シロッコファンのファン吹出口を前記シロッコファンの回転軸に垂直な面内に拡大する送風経路と、を備える送風装置において、
前記ケーシングは、前記シロッコファンを囲む渦巻き部と、この渦巻き部の外周部から接線方向に延設されファン吹出口に至る直線部と内周部に形成されファン吹出口に至るのど部と、を備えるとともに、前記直線部を、前記送風経路の流通方向の中心線に対して所定角度傾斜して設置し、
前記所定角度は、前記のど部に近いファン吹出口部分から送出される気流と、前記直線部に近いファン吹出口部分から送出される気流とが、各々前記送風経路の流通方向の中心線に対して成す角度の平均値相当角度であって、当該平均値相当角度だけ、前記シロッコファンをファンの回転方向の逆方向に傾けたことを特徴とする送風装置。
【請求項２】
請求項１に記載の送風装置とイオン発生装置とを備えたイオン発生機であって、
前記シロッコファンのファン吹出口に連なる送風経路が、前記シロッコファンの回転軸に垂直な面内に徐々に拡幅される第一送風経路と拡幅された広幅の第二送風経路とを有し、この第二送風経路に前記イオン発生装置を配設したことを特徴とするイオン発生機。
【請求項３】
前記イオン発生装置は、所定間隔離間して設置される複数のイオン発生部を有し、この複数のイオン発生部の並び方向を、前記送風経路の流通方向に交差する方向としたことを特徴とする請求項２に記載のイオン発生機。
【請求項４】
前記イオン発生部は、正イオンを発生する正イオン発生部と負イオンを発生する負イオン発生部とを備え、前記イオン発生装置は、正イオンと負イオンを同時に発生することを特徴とする請求項３に記載のイオン発生機。
【請求項５】
前記正イオンはＨ+（Ｈ2Ｏ）ｍ（ｍは任意の自然数）であり、前記負イオンはＯ2-（Ｈ2Ｏ）ｎ（ｎは任意の自然数）であることを特徴とする請求項４に記載のイオン発生機。
【発明の詳細な説明】
【技術分野】
【０００１】
本発明は、シロッコファンを搭載した送風装置および、この送風装置とイオン発生装置を備えたイオン発生機に関し、特に、イオン発生装置が生成したイオンを効率よく拡散できる送風装置およびイオン発生機に関する。
【背景技術】
【０００２】
近年、空気中に発生させたプラスイオン（正イオン）とマイナスイオン（負イオン）によって空気中に浮遊する細菌を殺菌しウィルスを不活化して、空気を清浄する作用が見出され、この技術を応用した空気清浄機などの製品が注目を集めている。
【０００３】
例えば、大気中におけるコロナ放電によって、空気中に正イオンであるＨ+（Ｈ2Ｏ）m（ｍは任意の自然数）と、負イオンであるＯ2-（Ｈ2Ｏ）n（ｎは任意の自然数）を同等量発生させて放出することにより、両イオンが空気中の浮遊カビ菌やウィルスの周りを取り囲んで付着し、その際に反応生成される活性種の水酸基ラジカル（・ＯＨ）の作用により、前記浮遊カビ菌等を不活化することを可能とする研究開発がなされている。
【０００４】
例えば、本出願人からも、正イオンと負イオンを安定して発生させることが可能なイオン発生素子やイオン発生装置などが既に出願されている（特許文献１、特許文献２、特許文献３参照）。
【０００５】
このようなイオン発生装置において、正負のイオンをバランスよく室内に送出することが求められる。そのためには、送風経路内に設置したイオン発生装置のイオン発生部に均等に気流が当たることが不可欠であるが、機器のデザイン面や大きさの面からの制限のために、理想的な配置ができない場合が生じる。そのような場合には、送風機下流の送風経路内に気流ガイドを設けて気流を導くことが一般的である。
【０００６】
例えば、吹出し口を複数方向に設けた空気調和機において、二つのエアガイダを対角に設けて、所望の風速と風量を得るようにしたものが出願されている（特許文献４参照）。
【先行技術文献】
【特許文献】
【０００７】
【特許文献１】特開２００３−４７６５１号公報
【特許文献２】特開２００２−３１９４７２号公報
【特許文献３】特開２０１０−５５９６０号公報
【特許文献４】特開２００１−２０８３６６号公報
【発明の概要】
【発明が解決しようとする課題】
【０００８】
しかし、空気中に浮遊する細菌を殺菌しウィルスを不活化する所定の除菌効果と、空気を清浄する所定の効果を得るためには、所定のイオン濃度が必要であることが既に知られている。そのために、ただ単に、送風通路内にイオン発生装置を取り付けるだけでは、また、単に、送風経路内の気流を安定させるだけでは、送風経路内を流通する気流全体に一様に安定して所定濃度のイオンを供給することは困難であって、十分な除菌効果と空気清浄効果を得ることができない。
【０００９】
また、正イオンと負イオンの両イオンを用いる場合には、それぞれのイオンを同時に、所定濃度で供給することが肝要であって、イオン発生装置のイオン発生面で発生させたイオンを、速やかに大量の空気流れに供給するとともに、供給された両イオン同士が衝突や中和等によりイオン濃度が低下しないようにして安定して搬送することが望まれる。
【００１０】
例えば、シロッコファンを送風ファンとして搭載する送風装置において、シロッコファンがファンの円周の接線方向に風を送るという性質上、ケーシング出口に接続される送風経路の形状によっては、気流が片寄って流通することがある。特に、イオン発生装置を搭載した送風装置において、シロッコファンを利用してイオン発生装置で発生した正負のイオンを吹出口から送出する場合、シロッコファン吹出口から送出される風がファン吹出口の一方に片寄るため、送風装置の吹出口から送出される風が均一に広がらない。そのため、放出されるイオンにも片寄りが生じてしまい、空間に効率よくイオンを拡散させることができなくなる。
【００１１】
そのために、シロッコファンを用いてイオン発生装置で発生した正負のイオンを送出するイオン発生機能付き送風装置（イオン発生機）の場合は、気流の片寄りを抑制して送風経路内を流通させて、イオン発生部分で発生した正負の両イオンを十分に、また、均一に含んだ気流として吹出口から送出することが望ましく、生成したイオンを効率よく拡散できる送風構造のイオン発生機であることが望まれる。
【００１２】
そこで本発明は、上記問題点に鑑み、シロッコファンを搭載した送風装置において、気流の片寄りを抑制して送風経路内を均一に流通させることが可能となる送風装置を提供し、この送風装置とイオン発生装置とを備えて、イオン発生装置で発生したイオンを均一に含んだ気流として吹出口から送出して効率よく拡散できる送風構造のイオン発生機を提供することを目的とする。
【課題を解決するための手段】
【００１３】
上記目的を達成するために本発明は、シロッコファンと、このシロッコファンを囲むケーシングと、該ケーシングの出口に接続され前記シロッコファンのファン吹出口を前記シロッコファンの回転軸に垂直な面内に拡大する送風経路と、を備える送風装置において、前記ケーシングは、前記シロッコファンを囲む渦巻き部と、この渦巻き部の外周部から接線方向に延設されファン吹出口に至る直線部と内周部に形成されファン吹出口に至るのど部と、を備えるとともに、前記直線部を、前記送風経路の流通方向の中心線に対して所定角度傾斜して設置したことを特徴としている。
【００１４】
この構成によると、シロッコファンから送出される風をファン吹出口の幅方向の左右に略均等な拡がり角度で拡散する適当な角度に前記直線部を傾斜させることで、シロッコファンから送出される風が送風経路内に片寄ることなく均一に流通させることができる。すなわち、シロッコファンを搭載した送風装置において、気流の片寄りを抑制して送風経路内を均一に流通させることが可能となる送風装置を得ることができる。
【００１５】
また本発明は上記構成の送風装置において、前記所定角度は、前記のど部に近いファン吹出口部分から送出される気流と、前記直線部に近いファン吹出口部分から送出される気流とが、各々前記送風経路の流通方向の中心線に対して成す角度の平均値相当角度であって、当該平均値相当角度だけ、前記シロッコファンをファンの回転方向の逆方向に傾けたことを特徴としている。この構成によると、シロッコファンから送出される風をファン吹出口の幅方向の左右に略均等な拡がり角度で拡散させることができる。
【００１６】
また本発明は、上記構成の送風装置とイオン発生装置とを備えたイオン発生機であって、前記シロッコファンのファン吹出口に連なる送風経路が、前記シロッコファンの回転軸に垂直な面内に徐々に拡幅される第一送風経路と拡幅された広幅の第二送風経路とを有し、この第二送風経路に前記イオン発生装置を配設したことを特徴としている。この構成によると、広幅に拡大されて流れの安定した領域となる第二送風経路にイオン発生装置を配設したので、イオン発生装置で発生したイオンを均一に含んだ気流として本体吹出口から送出して効率よく拡散できる送風構造のイオン発生機を得ることができる。
【００１７】
また本発明は上記構成のイオン発生機において、前記イオン発生装置は、所定間隔離間して設置される複数のイオン発生部を有し、この複数のイオン発生部の並び方向を、前記送風経路の流通方向に交差する方向としたことを特徴としている。この構成によると、拡幅された送風経路の幅方向に複数のイオン発生部を配置することにより、幅方向にイオンを均一に含んだ気流を送出することができる。すなわち、複数のイオン発生部で発生したイオンを送風経路の幅方向に略均等に含ませた気流を流通させることができる。
【００１８】
また本発明は上記構成のイオン発生機において、前記イオン発生部は、正イオンを発生する正イオン発生部と負イオンを発生する負イオン発生部とを備え、前記イオン発生装置は、正イオンと負イオンを同時に発生することを特徴としている。この構成によると、複数のイオン発生部で発生した正負の両イオンを送風経路の幅方向に略均等に含ませて送出することができる。
【００１９】
また本発明は上記構成のイオン発生機において、前記正イオンはＨ+（Ｈ2Ｏ）ｍ（ｍは任意の自然数）であり、前記負イオンはＯ2-（Ｈ2Ｏ）ｎ（ｎは任意の自然数）であることを特徴としている。この構成によると、細菌を殺菌しウィルスを不活化する所定の除菌効果と、空気を清浄する所定の効果を発揮する所定の正負の両イオンを均一に拡散させて送出することができる。
【発明の効果】
【００２０】
本発明によれば、シロッコファンを搭載した送風装置において、気流の片寄りを抑制して送風経路内を均一に流通させることが可能となる。そのために、この送風装置とイオン発生装置とを備えて、イオン発生装置で発生したイオンを均一に含んだ気流として吹出口から送出して効率よく拡散できる送風構造のイオン発生機を得ることができる。従って、シロッコファンを使用するイオン発生機において、送風経路内に気流を行き渡らせることができ、従来よりも効率よく空間に正負のイオンを拡散させることができる。この結果、浮遊カビ菌や細菌の殺菌、ウィルスやアレルゲンの不活性化、空間や物品の除電効果が良好に得られる。また、気流ガイドやベーンのように圧力損失を伴わないので、無駄なエネルギーを消耗せず騒音の低下にも繋がる。
【図面の簡単な説明】
【００２１】
【図１】本発明に係るイオン発生機の外観斜視図である。
【図２】図１のイオン発生機が備えるイオン発生装置の外観斜視図である。
【図３】図１のイオン発生機の内部構造を示す概略説明図である。
【図４】図３のＡ−Ａ断面図である。
【図５】第一実施形態の送風装置の気流の流通状態を示す概略説明図である。
【図６Ａ】第一実施形態の送風装置の気流の吹出し状態を示す概略説明図である。
【図６Ｂ】第一実施形態の送風装置の調整された気流の吹出し状態を示す概略説明図である。
【図７Ａ】第二実施形態の送風装置の気流の吹出し状態を示す概略説明図である。
【図７Ｂ】第二実施形態の送風装置の調整された気流の吹出し状態を示す概略説明図である。
【発明を実施するための形態】
【００２２】
以下に本発明の実施形態を図面を参照して説明する。また、同一構成部材については同一の符号を用い、詳細な説明は適宜省略する。まず本実施形態に係るイオン発生機の一例について、図１および図２を用いて説明する。
【００２３】
図１は、本発明に係るイオン発生機Ｍ１の外観斜視図であり、図２は、図１のイオン発生機Ｍ１が備えるイオン発生装置５の外観斜視図である。図１に示すように、本実施形態に係るイオン発生機Ｍ１は、送風装置Ｖ１とイオン発生装置５を内蔵する装置全体を覆うケース４と、吸込口１と吹出口２を備えている。また、側面部に操作部３を設けており、運転スイッチ等のスイッチと運転状態を表示する表示部を備える。
【００２４】
イオン発生装置５は、イオン発生機本体に対して着脱自在な構成とされており、ケース４の切欠き部からその表面の一部が露出している。また、後述するように、本体の背面側には、送風装置Ｖ１が有する送風ファンや制御装置などの取付部や、イオン発生装置５を着脱するためのガイドなどが形成された背面カバー８（図４参照）を備えている。
【００２５】
本実施形態に係るイオン発生装置５は、図２に示すように、正イオン発生部５１ａ、５２ａと、負イオン発生部５１ｂ、５２ｂとの複数のイオン発生部を備え、吸込口１から吸い込んだ空気に発生したイオンを含ませて、吹出口２から正負のイオンを含んだ空気を空間に放出する。
【００２６】
イオン発生装置５は、例えば、同量の正イオンと負イオンを生成するイオン発生装置であって、正イオン発生部と負イオン発生部となる電極をそれぞれ備える。この電極には交流波形またはインパルス波形から成る電圧が印加される。電極の印加電圧が正電圧の場合はイオンが空気中の水分と結合して主としてＨ+（Ｈ2Ｏ）ｍから成る正イオンを発生する。電極の印加電圧が負電圧の場合はイオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２７】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、正イオン及び負イオンを発生して吐出口から吐出することにより各空間の殺菌及び臭い除去を行うことができる。
【００２８】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００２９】
本実施形態に係るイオン発生装置５は、高圧発生回路等の制御部を収納する本体部５０ａ、制御回路から高圧電気を印加されて正または負イオンを発生するイオン発生部５１ａ、５１ｂ、５２ａ、５２ｂ、これらのイオン発生部５１ａ、５１ｂ、５２ａ、５２ｂを損傷から守り、ユーザー等が指先を怪我することを防止するガード５０ｂ、および、イオン発生装置５に電力を供給するとともに動作情報やＩＤ等の情報データを装置本体の制御装置と交換する端子部５０ｃを備える。
【００３０】
イオン発生部は、正イオン発生部が５１ａ、５２ａの二か所、負イオン発生部が５１ｂ、５２ｂの二か所設けられており、各々略同量の正イオンまたは負イオンを同時に発生している。イオン発生部で発生したイオンは、このイオン発生部を通過する気流によって機外に送出される。従って、正負のイオンを同等量で送出するためには、各々のイオン発生部を通過する気流も同等であることが要求される。
【００３１】
次に、図３、図４を用いて装置本体内部の気流状態について説明する。図３は、イオン発生機Ｍ１の内部構造を示す概略説明図であり、図４は、図３のＡ−Ａ断面図である。また、本実施形態では、送風ファンとしてシロッコファン６を用いている。シロッコファン６は、ファン６ｂと、この外側に気流をガイドするケーシング６ａを備えている。ケーシング６ａには、渦巻き部６０ａ、のど部６０ｂ、ファン吹出口６０の一方の端部６０ｃ、直線部６０ｄ、ファン吹出口６０の他方の端部６０ｅが設けられている。すなわち、直線部６０ｄは、渦巻き部６０ａの外周部から接線方向に延設されファン吹出口６０に至る直線部分を指している。
【００３２】
図３に示すように、シロッコファン６から送出される風は、ファン６ｂの外周と他方の端部６０ｅを結ぶ接線６１ａと、ファン６ｂの外周と一方の端部６０ｃを結ぶ接線６１ｂとがなす角度よりもさらに拡幅される送風経路７（第一送風経路７ａ、第二送風経路７ｂ）を介してイオン発生装置５のイオン発生部に供給され、吹出口２から吹き出される。すなわち、送風経路７は、シロッコファン６のファン６ｂの回転軸に垂直な面内で拡幅している第一送風経路７ａと、この第一送風経路７ａに接続され当該接続部と同じ断面形状で延長される第二送風経路７ｂとを備え、この拡幅された第二送風経路７ｂに、気流の流通方向と直交する方向に所定間隔離れて複数のイオン発生部を配設するようにしてイオン発生装置５が設置されている。
【００３３】
イオン発生装置５は、図４に示すように、ガード５０ｂが背面カバー８側に位置するように（図２に示すイオン発生装置５の上下を逆にした状態に）配置され、イオン発生機Ｍ１の正面側に配置された吸込口１から空気流れＦＬ１として取り込まれた気流は、イオン発生装置５の本体部５０ａの面と背面カバー８との間に形成された送風経路（第一送風経路７ａ、第二送風経路７ｂ）を通りイオン発生部を通過して、正負のイオンを含んだ状態で正面側に設けられた吹出口２から空気流れＦＬ２として送出される。
【００３４】
イオン発生装置５から発生するイオンは、正イオンがＨ+（Ｈ2Ｏ）m（ｍは任意の自然数）、負イオンがＯ2-（Ｈ2Ｏ）n（ｎは任意の自然数）となるように構成されており、両者のイオンは空気中に送出されることによって、空気中の浮遊細菌やウィルスに付着し、その際に起こる反応によって水酸基ラジカル（・ＯＨ）を生じ、その活性によって殺菌もしくは不活化する。
【００３５】
図３に見るように、イオン発生装置５は、所定間隔離間して設置される複数のイオン発生部５１ａ、５１ｂ、５２ａ、５２ｂを有し、この複数のイオン発生部の並び方向を、送風経路７の流通方向に交差する方向である拡幅された幅方向としている。また、イオン発生装置５のイオン発生部の並び方向の寸法に比べて、シロッコファン６のファン吹出口寸法が小さく、シロッコファン６が吹出した気流を、イオン発生部５１ａ、５１ｂ、５２ａ、５２ｂを包括する幅まで拡大することが必要となっている。
【００３６】
このような場合に、送風経路の幅方向に気流を片寄らせることなく均一に流通させることにより、拡幅された送風経路（第二送風経路７ｂ）の幅方向に複数のイオン発生部を配置して、幅方向にイオンを均一に含んだ気流を送出することができる。すなわち、複数のイオン発生部で発生したイオンを送風経路の幅方向に略均等に含ませた気流を流通させることができる。
【００３７】
そのため、図３の実施例では、シロッコファン６の気流吹出し方向は、送風経路７の気流流通方向の中心線に対して角度σだけ傾斜するようにしている（図５参照）。すなわち、本実施形態は、ケーシング６ａが、シロッコファン６を囲む渦巻き部６０ａと、この渦巻き部６０ａの外周部から接線方向に延設されファン吹出口に至る直線部６０ｄと内周部に形成されファン吹出口に至るのど部６０ｂと、を備えるとともに、前記直線部６０ｄの向きを送風経路の流通方向の中心線に対して所定角度傾斜して設置したものである。ここで、本発明の基礎となるシロッコファンを用いた送風装置の第一実施形態例について図６Ａ、図６Ｂを用いて説明する。この説明において、シロッコファンの気流吹出し方向は、ケーシングに接続される送風経路の気流流通方向の中心線を基準としている。
【００３８】
図６Ａに、送風装置Ｖ１Ａａの気流の吹出し状態を示す概略説明図を示し、図６Ｂには、調整された第一実施形態の送風装置Ｖ１Ａの気流の吹出し状態を示す。すなわち、図６Ａにおいては、直線部１０ｄは送風経路の中心線と平行に設置されている。シロッコファン１０はファン１０ａの円周の接線方向に風を送る特性がある。一方でシロッコファン１０は、その外側に気流をガイドするケーシングを備えており、ケーシングにはファン吹出口１０ｂ、渦巻き部１０ｃ、直線部１０ｄ、のど部１０ｅが設けられている。
【００３９】
のど部１０ｅは、渦巻き部１０ｃの始点となる部分で、ファン１０ａとの間隔が最も狭く、ファン１０ａの円周方向に沿って移動する気流を堰き止め、ファン吹出口１０ｂに向かわせる働きをする。渦巻き部１０ｃはファン１０ａによって送り込まれてくる空気を集めてファン吹出口１０ｂへ導く働きをする部分で、その半径を次第に拡大しながら直線部１０ｄに繋がる。直線部１０ｄは気流を整えて吹出させる働きをする。
【００４０】
シロッコファン１０は特性上ファン１０ａの接線方向に気流を送出するので、ファン吹出口１０ｂの一方端でのど部１０ｅに近いところにある端部１０ｆ近傍では、ファン１０ａと端部１０ｆとを結ぶ接線の方向に気流が送出される。ファン吹出口１０ｂの他方端で直線部１０ｄに近い端部では、直線部１０ｄと略平行の気流が送出される。
【００４１】
渦巻き部１０ｃで集められた気流は、その遠心力のために外側に多く存在するため、ファン１０ａで吸い込まれた空気の多くが渦巻き部１０ｃの内壁に沿って移動して直線部１０ｄまで導かれ、ファン吹出口１０ｂから前方に向けて送出される。このことから判るように、ファン吹出口１０ｂから送出される気流は、直線部１０ｄが長ければ長いほど、平行で方向性を持った気流となる。
【００４２】
以上説明したようなシロッコファンの特性は、シロッコファン１０のファン吹出口１０ｂに接続されている送風経路がファン吹出口１０ｂの幅と同じ程度の幅で形成される場合や、この幅方向にほんの少し広がっている場合には、ファン吹出口１０ｂから送出された気流は送風経路の幅一杯に広がって進行するので特に問題はないが、本実施形態のように、シロッコファンのファン吹出口１０ｂの幅に対して送風経路の幅が大きく拡大されているような場合には、うまく送風経路内に広がらずに進行して、気流の片寄りが発生する。
【００４３】
特に、直線部１０ｄに近いファン吹出口１０ｂの部分では気流が直進してしまうため、紙面の下方向に拡大された送風経路部分には気流が行き渡らないという不都合が生じる。このような状態で、送風経路中にイオン発生装置５を設置する場合、イオン発生部を通過する気流に片寄りがあるために、イオンが効率よく搬送されないことが起こる。特に、極性の異なるイオンを同時に発生させる場合には、両極性のイオンがバランスを崩す原因となってしまう。
【００４４】
本実施形態はこのような事態に対応するためになされたものであり、以下に本実施形態におけるシロッコファンの搭載方法についてさらに説明する。
【００４５】
図６Ａにおいて、シロッコファン１０から送出される風と、送風経路の中心線つまり直線部１０ｄとがなす角度の一番大きな角度をθとする。この角度θを取る気流は、のど部１０ｅに近い吹出口端部１０ｆから送出される気流Ａ２ａが該当する。
【００４６】
図６Ｂには図６Ａで説明したシロッコファン１０をファン１０ａの回転軸を中心にファン１０ａの回転方向と逆の（図中の時計回り）にθ／２だけ回転させた状態が示されている。すなわち、図６Ｂには、直線部１０ｄが角度θ／２だけ図中の下向きに調整された姿勢でシロッコファン１０を設置した第一実施形態の送風装置Ｖ１Ａを示す。
【００４７】
上記説明の通り、シロッコファン１０の吹出し気流はファン吹出口１０ｂの全長に亘って均等ではなく、吹出し方向は部分毎に異なり、一方の端部１０ｆにおいて最も大きな傾き角度をもって吹出される。従って、本実施形態では、最大となる吹出し角度θの１／２相当角度だけシロッコファン１０を回転させて設置している。
【００４８】
このようにすることで、ファン吹出口の一方の端部１０ｆ近傍から送出される最も大きな傾き角度を持つ気流Ａ２が、元の吹出し方向に対して上方にθ／２の傾きとなり、直線部１０ｄに近い最も傾きの小さい吹出し気流Ａ１は下方にθ／２傾けて送出することが可能になる。すなわち、シロッコファン１０の下流側に、プラスθ／２およびマイナスθ／２だけ気流を拡大して送出できる。すなわち、元来の送風経路の中心線に対してその上下に略均等に拡大した気流を送出していることになる。
【００４９】
上記したように、シロッコファン１０から送出される風をファン吹出口の幅方向の左右に略均等な拡がり角度で拡散する適当な角度に直線部１０ｄを傾斜させることで、シロッコファン１０から送出される風が送風経路内に片寄ることなく均一に流通させることができる。すなわち、シロッコファン１０を搭載した送風装置Ｖ１Ａにおいて、気流の片寄りを抑制して送風経路内を均一に流通させることが可能となる。
【００５０】
このような構成のシロッコファン１０を用いた送風装置Ｖ１Ａを図３に示すイオン発生機Ｍ１が備えた構成であれば、第一送風経路７ａと第二送風経路７ｂを介してイオン発生部に気流を送出することにより、イオン発生部５１ａ、５１ｂおよび５２ａ、５２ｂに気流が一様に流れていくので、本体の吹出口２から均等にイオンを送出することができる。
【００５１】
このような構成は図５に示す設置傾斜角度σを前述したθ／２とすることで実現できる。また、より好ましくは第一送風経路７ａの拡大角度を±θ／２となるように形成しておくのがよい。気流の拡大角度が送風経路の拡大角度よりも小さい場合には、気流と送風経路の間にできた空間にも気流が拡大しようとするため気流の拡大損失が発生しやすく、エネルギー損失と騒音発生の原因となりやすい。
【００５２】
また、本実施形態に係るイオン発生機Ｍ１は、気流の拡大を助けるために気流拡大装置７ｃを設けている。気流拡大装置７ｃは、例えば三角柱形状で、底面部分の三角形の一頂点が拡幅する第一送風経路７ａと一定幅に拡幅された第二送風経路７ｂとの接続部分に位置し、他の２頂点を気流流通方向の下流側に位置するように形成される。
【００５３】
また本実施形態では、第一送風経路７ａと第二送風経路７ｂとの接続部分に最も風上側の頂点が設けられているが、最も風上側の頂点は第一送風経路７ａにあってもよい。このようにすることで、強制的に気流中央部の流れを広げて送風経路の拡大角度が±θ／２よりも大きい場合にも対応できる。
【００５４】
次に、図７Ａ、図７Ｂを用いて他の実施形態の送風装置について説明する。図７Ａは、送風装置Ｖ１Ｂａの気流の吹出し状態を示す概略説明図を示し、図７Ｂには、調整された第二実施形態の送風装置Ｖ１Ｂの気流の吹出し状態を示す。
【００５５】
前述した第一実施形態の送風装置Ｖ１Ａは、ファン吹出口１０ｂが直線部１０ｄに対して略直角に形成され、直線部１０ｄはファン１０ａの半径と、のど部１０ｅからファン吹出口１０ｂの一方の端部１０ｆまでの距離を足したものよりも長く形成されている。そのため、直線部１０ｄに沿う気流Ａ１の吹出し方向は直線部１０ｄの延長と同じ方向になっている。これに対してこの第二実施形態の送風装置Ｖ１Ｂは、直線部１１ｄがファン１１ａの半径もしくはそれ以下に形成されている。このようなケーシングは、シロッコファン１１を搭載すべき筐体、もしくは設置空間が小さいときにシロッコファン１１の全長を抑える目的で使用されることがある。
【００５６】
図７Ａに示すシロッコファン１１はファン１１ａの周りに気流をガイドするケーシングを備えており、ケーシングにはファン吹出口１１ｂ、渦巻き部１１ｃ、直線部１１ｄ、のど部１１ｅが設けられている。
【００５７】
のど部１１ｅは渦巻き部１１ｃの始点となる部分でファン１１ａとの間隔が最も狭く、ファン１１ａの円周方向に沿って移動する気流を堰き止め、ファン吹出口１１ｂに向かわせる働きをする。渦巻き部１１ｃはファン１１ａによって送り込まれてくる空気を集めてファン吹出口１１ｂへ導く働きをする部分で、その半径を次第に拡大しながら直線部１１ｄに繋がる。直線部１１ｄは第一実施形態の送風装置Ｖ１Ａと異なり、ファン１１ａの半径と同程度の長さしかなく１１ｇが終端となっている。従って、ファン吹出口１１ｂは図に示すように直線部１１ｄに対して斜めに交差する。
【００５８】
前述したように、シロッコファン１１は特性上ファン１１ａの接線方向に気流を送出するので、ファン吹出口１１ｂの一方端でのど部１１ｅに近いところにある端部１１ｆ近傍では、ファン１１ａと端部１１ｆとを結ぶ接線の方向に気流Ａ２が送出される。これは、先に示した第一実施形態の送風装置Ｖ１Ａと同じである。しかし、ファン吹出口１１ｂの他方端で直線部１１ｄに近い端部１１ｇでは、直線部１１ｄと略平行の気流とファン１１ａと端部１１ｇとを結ぶ接線方向に吹出す気流Ａ１１が送出される。
【００５９】
渦巻き部１１ｃで集められた気流は、直線部１１ｄまで導かれるが直線部分が短いために遠心力が残り、さらにファン１１ａから端部１１ｇへの接線方向に気流Ａ１１が直接吹出されるため、結果として、気流がファン吹出口１１ｂから斜め方向に向けて送出される。
【００６０】
このような状態において、のど部１１ｅに近い端部１１ｆ近傍の気流方向と接続される送風経路の気流流通方向の中心線とがなす角度をθ１とし、直線部１１ｄに近い端部１１ｇ近傍の気流方向となす角度をθ２とすると、両方の気流の傾き角度を略同等とするためには、各々の気流の吹出し角度θ１とθ２の平均値を求め、シロッコファン１１をその相当角度だけ、ファン１１ａの回転軸を中心にファン１１ａの回転方向と逆方向に回転させるとよい。
【００６１】
傾き角度θ１とθ２は回転方向が異なるので、これらの平均値を求めることは、θ１とθ２の差を求めて、その値の１／２を求めることと同じになる。このようにすることで、吹出口１１ｂの一方の端部１１ｆを通過する最も大きな傾きを持つ吹出し気流Ａ２が、元の吹出し方向に対して図中の上方に（θ１−θ２）／２の傾きとなり、直線部１１ｄに近い吹出し気流は図中の下方に（θ１−θ２）／２傾けて送出することが可能になる。
【００６２】
図７Ｂには図７Ａで説明したシロッコファン１１をファン１１ａの回転軸を中心にファン１１ａの回転方向と逆の（図中の時計回り）に（θ１−θ２）／２だけ回転させた状態が示されている。すなわち、図７Ｂには、直線部１１ｄが角度（θ１−θ２）／２だけ図中の下向きに調整された姿勢でシロッコファン１１を設置した第二実施形態の送風装置Ｖ１Ｂを示す。
【００６３】
このようにすることで、元来の送風経路の中心線に対してその上下に（送風経路の幅方向に）略均等に拡大した気流を送出できる。このような構成のシロッコファン１１を用いた送風装置Ｖ１Ｂを図３に示すイオン発生機Ｍ１が備えた構成であれば、第一送風経路７ａと第二送風経路７ｂを介してイオン発生部に気流を送出することにより、イオン発生部５１ａ、５１ｂおよび５２ａ、５２ｂに気流が一様に流れていくので、本体の吹出口２から均等にイオンを送出することができる。
【００６４】
上記したように、第一実施形態の送風装置Ｖ１Ａにおいては角度θ／２だけ、シロッコファンの吹出し角度を調整することで、シロッコファンから送出される風が送風経路内に片寄ることなく均一に流通させることができ、第二実施形態の送風装置Ｖ１Ｂにおいては角度（θ１−θ２）／２だけ、シロッコファンの吹出し角度を調整することで、シロッコファンから送出される風が送風経路内に片寄ることなく均一に流通させることができる。
【００６５】
すなわち、第二実施形態の送風装置Ｖ１Ｂにおけるθ２を０とした場合が、第一実施形態の送風装置Ｖ１Ａに該当することになって、両者は同じことを言っていることになる。
【００６６】
言い換えれば、傾斜させる直線部の所定角度は、のど部に近いファン吹出口部分から送出される気流と、直線部に近いファン吹出口部分から送出される気流とが、各々送風経路の流通方向の中心線に対して成す角度の平均値相当角度であって、当該平均値相当角度だけ、シロッコファンをファンの回転方向の逆方向に傾けることが好ましい。この構成であれば、シロッコファンから送出される風をファン吹出口の幅方向の左右に略均等な拡がり角度で拡散させることができる。
【００６７】
上記したように、ケーシングの直線部の向きが送風経路の流通方向の中心線に対して所定角度σ（第一実施形態の送風装置においては角度θ／２、第二実施形態の送風装置においては角度（θ１−θ２）／２）傾斜して設置することで、シロッコファンから送出される風が送風経路内に片寄ることなく均一に流通させることができる。
【００６８】
すなわち、シロッコファンから送出される気流のうち、送風経路に対して傾斜角度が最大の気流と最少の気流とが各々成す角度の平均値相当角度だけシロッコファンをファンの回転方向と逆方向に傾斜させて設置することにより、シロッコファンを搭載した送風装置において、気流の片寄りを抑制して送風経路内を均一に流通させることが可能となる送風装置を得ることができる。
【００６９】
上記したように、本発明に係る送風装置によれば、シロッコファンから送出される風の片寄りを活かして送風経路内で気流を均等に拡大するので、シロッコファンを搭載した空気調和機やその他の電気機器において、新たな構成を加えることなく、吹出し気流を均等化して吹出口から送出することができる。
【００７０】
そのために、この送風装置と、正負の両イオンを発生するイオン発生装置を備えた本発明に係るイオン発生機によれば、イオン発生装置が発生したイオンを空間中にバランスよく送出して効率よく拡散することができる。
【００７１】
従って、シロッコファンを使用するイオン発生機において、送風経路内に気流を行き渡らせることができるため、従来よりも効率よく空間に正負のイオンを拡散させることができる。特に、正イオンおよび負イオンのバランスを重視しながら正負のイオンを送出する場合には、簡単に実施できる手段である。また、気流ガイドやベーンなどの圧力損失を伴う構造体を使用しないので、無駄にエネルギーを使用することなく、騒音の低下にも繋がる。
【産業上の利用可能性】
【００７２】
そのために、本発明に係る送風装置は、細菌などの殺菌、ウィルスやアレルゲンなどの不活性化、空間や物品の除電効果などを発揮するための正負のイオンを均一に送出することが求められるイオン発生機に好適に利用可能となる。
【符号の説明】
【００７３】
１    吸込口
２    吹出口
４    ケース
５    イオン発生装置
５１ａ、５２ａ    正イオン発生部
５１ｂ、５２ｂ    負イオン発生部
６    シロッコファン
１０    シロッコファン（第一実施形態）
１１    シロッコファン（第二実施形態）
７    送風経路
７ａ  第一送風経路
７ｂ  第二送風経路
Ｖ１    送風装置
Ｖ１Ａ  送風装置（第一実施形態）
Ｖ１Ｂ  送風装置（第二実施形態）
Ｍ１    イオン発生機
ＦＬ１、ＦＬ２  空気流れ
【図１】
0005809021.tif 000002
【図２】
0005809021.tif 000003
【図３】
0005809021.tif 000004
【図４】
0005809021.tif 000005
【図５】
0005809021.tif 000006
【図６Ａ】
0005809021.tif 000007
【図６Ｂ】
0005809021.tif 000008
【図７Ａ】
0005809021.tif 000009
【図７Ｂ】
0005809021.tif 000010